(57)【特許請求の範囲】
【請求項１】
中央部に半導体素子を収容するための貫通穴を有し、上面および下面ならびに前記貫通穴内壁の全面に無電解銅めっき層が被着されて成る絶縁板を準備する工程と、
前記貫通穴内壁を前記上面から下面にかけて切削して切り欠き部を設け、該切り欠き部により前記貫通穴内壁の無電解銅めっき層を分断する工程と、
前記貫通穴内壁にて分断された前記無電解銅めっき層の表面に該無電解銅めっき層よりも厚みが大きい電解銅めっき層を被着させて複数の接続導体を形成する工程と、
前記上面および下面の無電解銅めっき層を所定パターンにエッチングし、前記上面に一部が前記接続導体に繋がった複数のボンディングパッドを設けるとともに前記下面に前記接続導体に繋がった複数の接地または電源導体を形成する工程と、
を含むことを特徴とする半導体素子収納用パッケージの製造方法。
【請求項２】
請求項１に記載の半導体素子収納用パッケージの製造方法において、
前記無電解銅めっき層を分断する工程は、
前記貫通穴内壁に向かって各々の左側部分を上面側から見て右回転の切削工具で、右側部分を左回転の切削工具で、前記貫通穴内壁を前記上面から下面にかけて切削して前記切り欠き部を設ける工程を有することを特徴とする半導体素子収納用パッケージの製造方法。
【発明の詳細な説明】
【０００１】
【発明の属する技術分野】
本発明は、半導体集積回路素子等の半導体素子を収容するための半導体素子収納用パッケージの製造方法に関するものである。
【０００２】
【従来の技術】
従来、ＭＰＵ等の半導体素子を収容するための半導体素子収納用パッケージは、例えば図15に断面図で示すように、中央部に半導体素子40を収容するための段状の貫通穴41ａを有する配線基板41と、この配線基板41の下面に貫通穴41ａを塞ぐように接合層43を介して接合され、上面中央部に半導体素子40が搭載される搭載部42ａを有する銅等の金属材料から成る放熱板42とから主に構成されている。
【０００３】
この従来の半導体素子収納用パッケージにおいては、配線基板41は、例えばガラスクロスにエポキシ樹脂等の熱硬化性樹脂を含浸させて成る二枚の絶縁板44・45を同じくガラスクロスにエポキシ樹脂等の熱硬化性樹脂を含浸させて成る接着層46を介して積層して成る。
【０００４】
絶縁板44は、その中央部に貫通穴41ａの一部を形成する貫通穴44ａが形成されており、その上面には貫通穴44ａ周辺に電子部品40の各電極が電気的に接続される複数のボンディングパッド47およびこのボンディングパッド47から外周部にかけて複数の配線導体48が被着されている。さらにその下面の略全面には半導体素子40に接地および／または電源電位を供給するための複数の接地および／または電源導体49が被着されており、貫通穴44ａの内壁にはボンディングパッド47の一部と接地および／または電源導体49とを接続する複数の接続導体50が被着されている。他方、絶縁板45には、その中央部に貫通穴44ａよりも大きな貫通穴45ａが形成されているとともに上面に外部接続パッド51が被着されている。そして、これらの絶縁板44と45との積層体の外周部には、複数の貫通孔52が設けられており、貫通孔52の内壁には配線導体48や接地および／または電源導体49と外部接続パッド51とを電気的に接続する貫通導体53が被着されている。さらに、接地および／または電源導体49の下面には配線基板41と放熱板42との接合を強固なものとするためにエポキシ樹脂から成る絶縁層54が被着されており、この絶縁層54に放熱板42がガラスクロスにエポキシ樹脂等の熱硬化性樹脂を含浸させて成る接合層43を介して接合されている。
【０００５】
そして、この従来の半導体素子収納用パッケージによれば、放熱板42の搭載部42ａに半導体素子40を搭載するとともにこの半導体素子40の各電極をボンディングパッド47にボンディングワイヤ55等の電気的接続手段を介して電気的に接続し、しかる後、外部接続パッド51に半田ボール等から成る外部接続部材56を接合するとともに貫通穴41ａ内へ図示しない封止用樹脂をポッティングして半導体素子40を気密に封止することにより製品としての半導体装置となる。
【０００６】
なお、この従来の半導体素子収納用パッケージにおいては、接続導体50は、図16に斜視図で示すように、貫通穴44ａ内壁の金属層を部分的に除去して形成したスリットＳにより互いに分離された幅広のパターンで形成されている。このようにスリットＳで互いに分離された幅広のパターンとすることにより各接地および／または電源導体49とこれに対応するボンディングパッド47とを低いインダクタンスで接続している。このような接続導体50は、貫通穴44ａ内壁の全面に無電解めっきおよび電解めっきにより銅から成る金属層を被着させておくとともに、この金属層をフォトリソグラフィー技術を採用してスリットＳの部分をエッチング除去することによって形成されている。
【０００７】
【発明が解決しようとする課題】
しかしながら、この従来の半導体素子収納用パッケージによると、貫通穴44ａ内壁に設けた複数の接続導体50は、貫通穴44ａの内壁全面に金属層を被着させるとともにこの金属層をフォトリソグラフィー技術を採用してスリットＳに対応する部分をエッチング除去することによって形成されており、フォトリソグラフィーにおける露光を行う際に、貫通穴44ａの内壁が垂直であることからフォトリソグラフィーに用いる露光用マスクを良好に密着させて正確に露光することが困難であり、そのためスリットＳの部分が良好にエッチング除去されずに各接続導体50同士のスリットＳを介した電気的絶縁が不完全なものとなりやすく、その結果、そのような絶縁不良によって内部に収容する半導体素子40の正常な作動が妨げられてしまうという問題点を有していた。
【０００８】
本発明は、かかる従来の問題点に鑑み案出されたものであり、その目的は、各接続導体同士の電気的な絶縁を完全なものとして、内部に収容する半導体素子を正常に作動させることが可能な半導体素子収納用パッケージを提供することにある。
【０００９】
【課題を解決するための手段】
本発明の半導体素子収納用パッケージの製造方法は、中央部に半導体素子を収容するための貫通穴を有し、上面および下面ならびに前記貫通穴内壁の全面に無電解銅めっき層が被着されて成る絶縁板を準備する工程と、前記貫通穴内壁を前記上面から下面にかけて切削して切り欠き部を設け、該切り欠き部により前記貫通穴内壁の無電解銅めっき層を分断する工程と、前記貫通穴内壁にて分断された前記無電解銅めっき層の表面に該無電解銅めっき層よりも厚みが大きい電解銅めっき層を被着させて複数の接続導体を形成する工程と、前記上面および下面の無電解銅めっき層を所定パターンにエッチングし、前記上面に一部が前記接続導体に繋がった複数のボンディングパッドを設けるとともに前記下面に前記接続導体に繋がった複数の接地または電源導体を形成する工程と、を含むことを特徴とするものである。
【００１０】
また、本発明の半導体素子収納用パッケージの製造方法は、上記半導体素子収納用パッケージの製造方法において、前記無電解銅めっき層を分断する工程が、前記貫通穴内壁に向かって各々の左側部分を上面側から見て右回転の切削工具で、右側部分を左回転の切削工具で、前記貫通穴内壁を前記上面から下面にかけて切削して前記切り欠き部を設ける工程を有することを特徴とするものである。
【００１３】
【発明の実施の形態】
次に、本発明の半導体素子収納用パッケージを添付の図面に基づいて説明する。図１は、本発明の半導体素子収納用パッケージの実施形態の一例を示す断面図、図２は、図１に示す半導体素子収納用パッケージの斜視図である。図中、１は配線基板、２は放熱板であり、主としてこれらで半導体素子３を収容するための本発明の半導体素子収納用パッケージが構成されている。
【００１４】
配線基板１は、中央部に半導体素子３を収容するための貫通穴４ａを有するとともに上面に複数のボンディングパッド５およびこのボンディングパッド５の一部から外周部に延在する複数の配線導体６を、下面の略全面に複数の接地および／または電源導体７を、貫通穴４ａ内壁にボンディングパッド５の一部と接地および／または電源導体７とを接続する複数の接続導体８を有する略四角枠状の絶縁板４と、中央部に貫通穴４ａよりも大きな貫通穴９ａを有するとともに上面に複数の外部接続パッド10が被着形成された略四角枠状の絶縁板９とを接着層11を介して接着して成る。また、その外周部に複数の貫通孔12が形成されており、この貫通孔12内には貫通導体13が被着されている。さらにその下面には絶縁層14が被着されている。
【００１５】
配線基板１を構成する絶縁板４や９は、ガラス繊維やアラミド繊維のクロスにエポキシ樹脂やビスマレイミドトリアジン樹脂等の熱硬化性樹脂を含浸させて成り、ボンディングパッド５・配線導体６・接地および／または電源導体７・接続導体８や外部接続パッド10の支持体として機能するとともに貫通穴４ａ・９ａ内に半導体素子３を収容するための空所を形成する。
【００１６】
また、これらの絶縁板４・９を接着する接着層11は、同じくガラス繊維やアラミド繊維のクロスにエポキシ樹脂やビスマレイミドトリアジン樹脂等の熱硬化性樹脂を含浸させて成り、絶縁板４と９とを接着する接着部材として機能する。
【００１７】
絶縁板４の上面に被着されたボンディングパッド５は、半導体素子３の各電極（信号電極・接地電極・電源電極）が電気的に接続される領域であり、図２に斜視図で示すように、略四角形状のパターンである。そして、その上面に半導体素子３の各電極がボンディングワイヤ15を介して電気的に接続される。なお、図２においては、簡略のため１本のボンディングワイヤ15のみを図示している。
【００１８】
ボンディングパッド５の一部から延びる配線導体６は、略帯状パターンであり、パッケージ内に収容される半導体素子３の各電極を外部電気回路に電気的に接続するための導電路の一部として機能し、貫通導体13に接続されている。
【００１９】
また、絶縁板４の下面に被着された接地および／または電源導体７は、絶縁板４の下面の略全面に被着形成されている。この接地および／または電源導体７は、半導体素子３に接地および／または電源電位を供給するとともに配線導体６の特性インピーダンスを所定の値に調整する機能を有し、ボンディングパッド５の一部に接続導体８を介して接続されているとともに貫通導体13に接続されている。
【００２０】
さらに、ボンディングパッド５の一部と接地および／または電源導体７とを接続する接続導体８は、ボンディングパッド５と接地および／または電源導体７とを低インダクタンスで接続することにより半導体素子３を安定して作動可能とするためのものであり、貫通穴４ａの内壁の略全面に幅広のパターンで形成されている。
【００２１】
また、絶縁板９の上面に被着された外部接続パッド10は、外部電気回路との接続用導体として機能し、貫通導体13に電気的に接続するようにして形成されている。そして、この外部接続パッド10には、半田ボール等からなる外部接続部材16が取着される。
【００２２】
なお、ボンディングパッド５・配線導体６・接地および／または電源導体７・接続導体８・外部接続パッド10は、通常、銅箔や銅めっき等の金属から成り、厚みが５〜50μｍ程度である。また、これらのボンディングパッド５等における露出表面には、通常であれば１〜30μｍ程度の厚みのニッケルめっき層および0.1〜３μｍ程度の厚みの金めっき層が無電解めっき法や電解めっき法により順次被着されている。それにより、ボンディングパッド５等における酸化腐食を有効に防止することができるとともにボンディングパッド５とボンディングワイヤ15との電気的接続および外部接続パッド10と外部接続部材16との電気的接続を良好となすことができる。
【００２３】
また、貫通孔12の内壁に被着された貫通導体13は配線導体６や接地および／または電源導体７と外部接続パッド10とを電気的に接続させる接続用導体として機能し、配線基板１の上面から下面にかけて穿孔された多数の貫通孔12の内壁に厚みが４〜50μｍ程度の銅めっき層を無電解めっき法や電解めっき法を採用して被着することにより形成されている。
【００２４】
さらに、絶縁板４の下面にはエポキシ樹脂等の熱硬化性樹脂から成る絶縁層14が被着形成されている。絶縁層14は、配線基板１に放熱板２を強固に接合させるための接合用下地部材として機能し、この絶縁層14の下面に放熱板２が接合層17を介して接合されることにより配線基板１と放熱板２とが接合されている。この絶縁層14にはシリカ等の無機絶縁物粉末から成るフィラーを５〜50重量％程度含有させてもよい。フィラーを含有させることにより絶縁層14の熱膨張係数を調整することができるとともに、絶縁層14の耐熱性等を向上させることができる。
【００２５】
他方、配線基板１の下面に接合層17を介して接合された放熱板２は、銅等の熱伝導性に優れる金属から成り、貫通穴４ａを塞ぐようにして接合されている。この放熱板２は、半導体素子３を支持するための支持体として機能するとともに半導体素子３が作動時に発生する熱を外部に良好に放熱するための放熱部材として機能し、その上面中央部に半導体素子３を搭載するための搭載部２ａを有している。そして、この搭載部２ａに半導体素子３がエポキシ樹脂等の接着剤を介して接着固定される。
【００２６】
このような放熱板２は、例えば銅から成る板材を打ち抜き金型により所定の形状に打ち抜くことによって形成すればよい。なお、放熱板２の表面にニッケルや金等の耐食性の良好な金属をめっき法により１〜20μｍの厚みに被着させておくと、放熱板２の酸化腐食を有効に防止することができる。さらに、放熱板２と接合層17との接合力向上のために、放熱板２表面に黒化処理やブラスト処理を施し、その表面に中心線平均粗さＲａが0.2〜３μｍ程度となるような凹凸を形成してもよい。
【００２７】
また、配線基板１と放熱板２とを接合する接合層17は、例えばガラスクロスにエポキシ樹脂等の熱硬化性樹脂を含浸させて成る略四角枠状であり、このような構成により接合面にボイドが発生せず接合強度が大きく密着性に優れている。このような接合層17は、例えばガラスクロスに未硬化のエポキシ樹脂を含浸させたシートを打ち抜き金型等を用いて絶縁板４と略同一の形状に打ち抜き、これを配線基板１と放熱板２との間に挟んで上下から加圧しながら熱硬化させることにより配線基板１と放熱板２とを強固に接合する。
【００２８】
さらに本発明においては、図２に示すように、各接続導体８の間の貫通穴４ａ内壁を絶縁板４の上面から下面にかけてドリルやルーター等の切削工具を用いて切削することにより切り欠き部Ａが形成されており、この切り欠き部Ａにより各接続導体８同士が分離されている。そして、このことが重要である。このように、各接続導体８が貫通穴４ａ内壁を絶縁板４の上面から下面にかけて切削することにより形成された切り欠き部Ａにより互いに分離されていることから、各接続導体８同士を切り欠き部Ａにより確実かつ良好に電気的に絶縁することができ、それにより半導体素子３を常に正常に作動させることができる。
【００２９】
なお、切り欠き部Ａは、図３（ａ）・（ｂ）に要部拡大上面図で示すように、貫通穴４ａの内壁に向かって左側を上面側から見て右回転の切削工具31で、右側を左回転の切削工具31で切削することにより形成すると、切り欠き部Ａの左右両端が絶縁板４に食い込む方向に切削されるので、各接続導体８にバリや剥がれが発生しにくい。したがって、切り欠き部Ａは貫通穴４ａ内壁に向かって左側を上面側から見て右回転の切削工具で、その右側を左回転の切削工具で切削することにより形成することが好ましい。
【００３０】
また、切り欠き部Ａはその幅が0.1ｍｍ未満であると隣接する接続導体８同士を電気的に良好に絶縁することが困難となる傾向にあり、他方、2.0ｍｍを超えると、接続導体８の幅がその分だけ狭いものとなり、ボンディングパッド５と接地および／または電源導体７とを低インダクタンスで接続することが困難となる傾向にある。したがって、切り欠き部Ａの幅は、0.1〜2.0ｍｍの範囲が好ましい。
【００３１】
さらに、切り欠き部Ａはその深さが0.1ｍｍ未満では、隣接する接続導体８同士を電気的に確実に分離することができなくなる危険性があり、他方0.5ｍｍを超えると、絶縁板４上にボンディングパッド５を形成する領域を十分に確保することが困難となる傾向にある。したがって、切り欠き部Ａの深さは、0.1〜0.5ｍｍの範囲が好ましい。
【００３２】
かくして、本発明の半導体素子収納用パッケージによれば、放熱板２の搭載部２ａに半導体素子３を搭載するとともに、この半導体素子３の各電極とボンディングパッド５とをボンディングワイヤ15を介して電気的に接続し、しかる後、貫通穴４ａ・９ａ内へ封止用樹脂をポッティングして樹脂封止を行なうことにより半導体装置となる。
【００３３】
なお、このような半導体素子収納用パッケージにおいては、必要に応じて配線基板１上に外部接続パッド10の外周部を覆うソルダーレジスト層18を設けてもよい。このようなソルダーレジスト層18は、例えばシリカ等の絶縁性フィラーを含有させたエポキシ樹脂等の熱硬化性樹脂から成り、外部接続パッド10上に半田ボール等の外部接続部材16を取着する際の外部接続部材16の不要な濡れ広がりを制御するダムの作用をする。
【００３４】
次に、上述の半導体素子収納用パッケージを製造する本発明の製造方法について説明する。
【００３５】
まず、図４に断面図で示すように、中央部に貫通穴４ａを有するとともに上面および下面の全面に厚みが12〜60μｍ程度の銅箔21・22が貼着された絶縁板４と、中央部に貫通穴９ａを有するとともに上面の全面に厚みが12〜60μｍ程度の銅箔23が貼着された絶縁板９とを準備する。このような絶縁板４・９は、例えばガラスクロスに未硬化のエポキシ樹脂等の熱硬化性樹脂を含浸させてなるシートに銅箔21・22や23を貼着するとともに、これを熱硬化させることによって形成され、貫通穴４ａ・９ａは、硬化した絶縁板４・９に切削加工を施すことにより形成される。
【００３６】
次に、図５に要部拡大断面図で示すように、絶縁板４の銅箔21・22および貫通穴４ａ内壁の全面に厚みが１〜３μｍ程度の無電解銅めっき層24を被着させる。
無電解銅めっき層24を被着させるには、銅箔21・22の表面および貫通穴４ａ内壁に例えば塩化アンモニウム系酢酸パラジウムを含有するパラジウム活性液を使用してパラジウム触媒を付着させるとともに、その上に硫酸銅系の無電解銅めっき液を用いて無電解銅めっきを施せばよい。
【００３７】
次に、図６に要部拡大部分断面斜視図で示すように、絶縁板４の貫通穴４ａ内壁を上面から下面にかけてドリルやルーター等の切削工具を用いて略半円状に切削して切り欠き部Ａを形成する。このように切り欠き部Ａを形成することにより貫通穴４ａ内壁に被着させた無電解銅めっき層24が分断される。貫通穴４ａ内壁に残った無電解銅めっき層24が接続導体８用の下地部分となる。このとき、貫通穴４ａ内壁の無電解銅めっき層24は、切削で形成された切り欠き部Ａにより互いに確実かつ良好に分断される。
【００３８】
なお、切り欠き部Ａは、図３（ａ）・（ｂ）に要部拡大上面図で示すように、貫通穴４ａ内壁に向かって左側部分を上面側から見て右回転の切削工具31で、右側部分を左回転の切削工具31で切削することにより形成すると、切り欠き部Ａの左右両端がともに絶縁板４に食い込む方向に切削されるので、切削の際に貫通穴４ａ内壁の無電解銅めっき層24にバリや剥離が発生することを有効に防止することができる。したがって、切り欠き部Ａは貫通穴４ａの内壁に向かって左側部分を上面側から見て右回転の切削工具31で、その右側部分を左回転の切削工具31で切削することにより形成することが好ましい。ところで、切り欠き部Ａの貫通穴４ａ内壁に向かって左側部分を上面側から見て右回転の切削工具31で、右側部分を左回転の切削工具31で切削するには、例えは絶縁板４を表向きにした状態で切り欠き部Ａの左側部分を右回転の切削工具31で切削した後、この絶縁板４を裏返しにして切り欠き部Ａの反対側部分を同じく右回転の切削工具31で切削すればよい。
【００３９】
次に、図７に要部拡大部分断面斜視図で示すように絶縁板４の上下面の無電解銅めっき層24上に感光性樹脂層を貼着するとともにこれを露光・現像してボンディングパッド５・配線導体６・接地および／または電源導体７・接続導体９に対応する部位を露出させるめっきレジスト層25を形成する。めっきレジスト用の感光性樹脂としては、例えばドライフィルムレジストを用いればよい。
【００４０】
次に、図８に要部拡大断面図で示すように、めっきレジスト層25から露出した無電解めっき層24の表面に厚みが10〜20μｍ程度の電解銅めっき層26および厚みが３〜10μｍ程度の半田めっき層27を順次被着させる。電解銅めっき液としては例えば硫酸銅系から成る銅めっき液を、半田めっき液としては例えば硫酸第１錫系から成る半田めっき液を用いればよい。
【００４１】
次に、図９に要部拡大断面図で示すように、めっきレジスト層25を剥離するとともに半田めっき層27をエッチングマスクとして用いることにより半田めっき層27から露出する部位の無電解めっき層24および銅箔21・22をエッチング除去し、しかる後、半田めっき層27をエッチング除去することにより図10に要部拡大斜視図で示すようにボンディングパッド５・配線導体６・接地および／または電源導体７・接続導体８を形成する。無電解めっき層24および銅箔21・22をエッチングするエッチング液としては、例えばアルカリ性のエッチング液を用いればよい。
また、半田めっき層27をエッチングするエッチング液としては過酸化水素系のエッチング液を用いればよい。
【００４２】
他方、絶縁板９は、図11に断面図で示すように、銅箔23を所定のパターンにエッチングすることによりその上面に外部接続パッド10を形成する。
【００４３】
次に、図12に断面図で示すように、絶縁板４と絶縁板９とを間に接着層11を挟んで接着して積層体となす。絶縁板４と絶縁板９とを接着層11を介して接着するには、ガラスクロスに未硬化のエポキシ樹脂等の熱硬化性樹脂を含浸させて成る接着層11を絶縁板４と絶縁板９との間に挟んで積層するとともに、これらを例えば積層プレス機を用いて、真空度が４ｋＰａ以下、温度が180〜200℃の範囲、圧力が２〜４ＭＰａの範囲の条件で90〜120分間加圧加熱することにより接着層11を熱硬化させて絶縁板４と絶縁板９とを接着する方法が採用される。
【００４４】
次に、図13に断面図で示すように、積層体の外周部に複数の貫通孔12をルーター加工やドリル加工等の切削加工により形成するとともに、貫通孔12の内壁に無電解めっき法や電解めっき法により銅から成る貫通導体13を被着形成して外部接続パッド10とこれに対応する配線導体６や接地および／または電源導体７とをそれぞれ電気的に接続する。
【００４５】
次に、図14に断面図で示すように、絶縁板４の下面に絶縁層14用の未硬化の熱硬化性樹脂ペーストをスクリーン印刷法を採用して印刷塗布した後、これを熱硬化させて絶縁層14を形成することによって配線基板１を製作する。
【００４６】
そして、最後にこの配線基板１の下面に放熱板２を接合層17を介して接合することにより図１に示したような本発明の半導体素子収納用パッケージが完成する。なお、配線基板１と放熱板２との接合は、ガラスクロスに未硬化のエポキシ樹脂等を含浸させた接合層17を間に挟んで配線基板１と放熱板２とを積層し、これらを上下から0.3〜0.5ＭＰａの圧力を印加しながら150〜200℃の温度で60〜120分間程度の時間加熱して接合層17を熱硬化させることにより行なわれる。
【００４７】
さらに、本発明の製造方法においては、必要に応じて配線基板１上に外部接続パッド10の外周部を覆うソルダーレジスト層18を形成してもよい。このようなソルダーレジスト層18を設けることにより外部接続パッド10上に半田ボール等の外部接続部材16を接合した際に半田ボール等の不要な濡れ広がりを防止することができる。このようなソルダーレジスト層18は、例えばシリカ等のフィラーを含有するエポキシ樹脂等の熱硬化性樹脂から形成すればよく、シリカ等のフィラーを含有する未硬化の感光性を有する熱硬化性樹脂ペーストを絶縁板９上の略全面にスクリーン印刷法等を採用して印刷塗布した後、これを公知のフォトリソグラフィー技術を採用して所定のパターンにエッチングし、最後にこれを130〜180℃で約１時間程度加熱して硬化させることによって形成すればよい。
【００４８】
【発明の効果】
本発明の半導体素子収納用パッケージの製造方法によれば、全面に無電解銅めっき層が被着された貫通穴内壁を絶縁板の上面から下面にかけて切削して切り欠き部を設け、この切り欠き部により貫通穴内壁の無電解銅めっき層を分断し、該無電解銅めっき層の表面に電解銅めっき層を被着させて複数の接続導体を形成することから、切削で形成された切り欠き部により各接続導体同士が互いに確実かつ良好に電気的に絶縁される。したがって、収容する半導体素子を正常に作動させることが可能な半導体素子収納用パッケージを提供することができる。
【００４９】
なお、本発明は上述の実施形態例に限定されるものではなく、本発明の要旨を逸脱しない範囲であれば種々の変更は可能である。例えば、上述の実施の形態例では、２枚の絶縁板４・９を接着した配線基板１を例に示したが、１枚の絶縁板の上面にボンディングパッド５と配線導体６と外部接続パッド10とを一体的に形成するとともに下面に接地および／または電源導体を形成して成る配線基板や、３枚以上の絶縁板を積層して成る配線基板を用いたものであってもよい。また、上述の実施の形態例における貫通穴４ａ・９ａを、打ち抜き金型を用いたパンチングにより、あるいはレーザ加工機により形成してもよい。さらに、貫通孔12の加工をレーザ加工機を用いて行ってもよい。
【００５１】
【発明の効果】
本発明の半導体素子収納用パッケージの製造方法によれば、全面に金属層が被着された貫通穴内壁を絶縁板の上面から下面にかけて切削して切り欠き部を設け、この切り欠き部により貫通穴内壁の金属層を分断して複数の接続導体を形成することから、切削で形成された切り欠き部により各接続導体同士が互いに確実かつ良好に電気的に絶縁される。したがって、収容する半導体素子を正常に作動させることが可能な半導体素子収納用パッケージを提供することができる。
【図面の簡単な説明】
【図１】本発明の半導体素子収納用パッケージの実施の形態の一例を示す断面図である。
【図２】図１に示す半導体素子収納用パッケージの斜視図である。
【図３】（ａ）および（ｂ）は、図１に示す半導体素子収納用パッケージの配線基板１の製造方法を説明するための要部拡大上面図である。
【図４】図１に示す半導体素子収納用パッケージの配線基板１の製造方法を説明するための断面図である。
【図５】図１に示す半導体素子収納用パッケージの配線基板１の製造方法を説明するための要部拡大断面図である。
【図６】図１に示す半導体素子収納用パッケージの配線基板１の製造方法を説明するための要部拡大部分断面斜視図である。
【図７】図１に示す半導体素子収納用パッケージの配線基板１の製造方法を説明するための要部拡大部分断面斜視図である。
【図８】図１に示す半導体素子収納用パッケージの配線基板１の製造方法を説明するための要部拡大断面図である。
【図９】図１に示す半導体素子収納用パッケージの配線基板１の製造方法を説明するための要部拡大断面図である。
【図１０】図１に示す半導体素子収納用パッケージの配線基板１の製造方法を説明するための要部拡大斜視図である。
【図１１】図１に示す半導体素子収納用パッケージの配線基板１の製造方法を説明するための断面図である。
【図１２】図１に示す半導体素子収納用パッケージの配線基板１の製造方法を説明するための断面図である。
【図１３】図１に示す半導体素子収納用パッケージの配線基板１の製造方法を説明するための断面図である。
【図１４】図１に示す半導体素子収納用パッケージの配線基板１の製造方法を説明するための断面図である。
【図１５】従来の半導体素子収納用パッケージを示す断面図である。
【図１６】従来の半導体素子収納用パッケージの斜視図である。
【符号の説明】
１・・・・・・・配線基板
２・・・・・・・放熱板
３・・・・・・・半導体素子
４、９・・・・・絶縁板
４a、９a・・・・・半導体素子を収容するための貫通穴
５・・・・・・・ボンディングパッド
６・・・・・・・配線導体
７・・・・・・・接地および／または電源導体
８・・・・・・・接続導体
Ａ・・・・・・・切り欠き部
【図１】
0004574035.tif 000002
【図２】
0004574035.tif 000003
【図３】
0004574035.tif 000004
【図４】
0004574035.tif 000005
【図５】
0004574035.tif 000006
【図６】
0004574035.tif 000007
【図７】
0004574035.tif 000008
【図８】
0004574035.tif 000009
【図９】
0004574035.tif 000010
【図１０】
0004574035.tif 000011
【図１１】
0004574035.tif 000012
【図１２】
0004574035.tif 000013
【図１３】
0004574035.tif 000014
【図１４】
0004574035.tif 000015
【図１５】
0004574035.tif 000016
【図１６】
0004574035.tif 000017